(57)【要約】      （修正有）【課題】録画中にディジタルテレビ放送を充分な受信電界強度で受信できなくても、データ抜けの無いディジタルテレビ放送を録画できる携帯端末装置及びテレビ放送システムを提供する。【解決手段】携帯端末装置は、ディジタルテレビ放送データの受信機と、電界強度検出手段と、放送データと電界強度の記憶部と、記録した電界強度が放送データを受信可能な閾値よりも小さい時点でテレビ受信機が受信した放送データを特定するデータ特定手段と、特定した放送データと同じ内容のディジタルテレビ放送データの送信要求を、テレビ放送局から受信した放送データを蓄積する蓄積装置に送信する無線送信機と、蓄積装置から無線送信機により送信要求したディジタルテレビ放送データを受信する無線受信機を備え、記録部は、データ特定手段により特定した前記ディジタルテレビ放送データを無線受信機により受信したディジタルテレビ放送データに置き換えて記憶する。【選択図】図３
2006041578.tif 000002
【特許請求の範囲】
【請求項１】
ディジタルテレビ放送データを記録する携帯端末装置であって、
テレビ放送局から前記ディジタルテレビ放送データを受信する第１受信手段と、
前記ディジタルテレビ放送データを搬送する搬送波の電界強度を検出する電界強度検出手段と、
前記第１受信手段により受信した前記ディジタルテレビ放送データと、当該ディジタルテレビ放送データ受信時に前記電界強度検出手段により検出した前記電界強度と、を記録する記録手段と、
前記記録手段に記録した前記ディジタルテレビ放送データの内の、前記記録手段に記録した前記電界強度が前記ディジタルテレビ放送データを受信可能な閾値よりも小さい時点で前記第１受信手段が受信した前記ディジタルテレビ放送データを特定するデータ特定手段と、
前記データ特定手段により特定した前記ディジタルテレビ放送データと同じ内容のディジタルテレビ放送データの送信要求を、前記テレビ放送局から受信したディジタルテレビ放送データを蓄積する蓄積装置に送信する送信手段と、
前記蓄積装置から、前記送信手段により送信要求した前記ディジタルテレビ放送データを受信する第２受信手段と、を備え、
前記記憶手段は、前記データ特定手段により特定した前記ディジタルテレビ放送データを前記第２受信手段により受信した前記ディジタルテレビ放送データに置き換えて記憶する携帯端末装置。
【請求項２】
請求項１記載の携帯端末装置であって、前記データ特定手段は、前記記録手段に記録した前記電界強度が前記閾値以上の時点で前記第１受信手段が受信した前記ディジタルテレビ放送データのパケット情報に基づいて、前記ディジタルテレビ放送データを特定する携帯端末装置。
【請求項３】
請求項１または２記載の携帯端末装置と、ディジタルテレビ放送データを配信するテレビ放送局と、前記テレビ放送局から受信した前記ディジタルテレビ放送データを蓄積する蓄積装置と、を含んで構成されるテレビ放送システムであって、
前記蓄積装置は、
前記携帯端末装置により送信された前記ディジタルテレビ放送データの送信要求を受信する受信手段と、
送信要求された前記ディジタルテレビ放送データを前記携帯端末装置に送信する送信手段と、
を備えるテレビ放送システム。
【発明の詳細な説明】
【技術分野】
【０００１】
本発明は、ディジタルテレビ放送を録画する携帯端末装置及びディジタルテレビ放送システムに関する。
【背景技術】
【０００２】
従来の携帯端末装置には、受信したディジタルテレビ放送を録画し、録画したディジタルテレビ放送を再生することができるものがある。特許文献１の携帯端末は、ディジタルテレビ放送データを受信するチューナと、録画指示時にチューナが出力したデータを記録するデータメモリと、データメモリに記録したデータを再生するよう制御する制御部とを含んで構成されている。
【０００３】
【特許文献１】特開２００３−３４８５１０号公報
【発明の開示】
【発明が解決しようとする課題】
【０００４】
しかしながら、上記の携帯端末は、ディジタルテレビ放送をある閾値未満の電界強度で受信した場合、ディジタルテレビ放送データを受信することができないため、この時点におけるデータの無いディジタルテレビ放送を録画してしまい、データ抜けの有るディジタルテレビ放送を再生することになる。
【０００５】
本発明は、上記事情に鑑みてなされたもので、録画中にディジタルテレビ放送を充分な受信電界強度で受信することができなくても、データ抜けの無いディジタルテレビ放送を録画することができる携帯端末装置及びテレビ放送システムを提供することを目的とする。
【課題を解決するための手段】
【０００６】
本発明の携帯端末装置は、ディジタルテレビ放送データを記録する携帯端末装置であって、テレビ放送局から前記ディジタルテレビ放送データを受信する第１受信手段と、前記ディジタルテレビ放送データを搬送する搬送波の電界強度を検出する電界強度検出手段と、前記第１受信手段により受信した前記ディジタルテレビ放送データと、当該ディジタルテレビ放送データ受信時に前記電界強度検出手段により検出した前記電界強度と、を記録する記録手段と、前記記録手段に記録した前記ディジタルテレビ放送データの内の、前記記録手段に記録した前記電界強度が前記ディジタルテレビ放送データを受信可能な閾値よりも小さい時点で前記第１受信手段が受信した、前記ディジタルテレビ放送データを特定するデータ特定手段と、前記データ特定手段により特定した前記ディジタルテレビ放送データと同じ内容のディジタルテレビ放送データの送信要求を、前記テレビ放送局から受信したディジタルテレビ放送データを蓄積する蓄積装置に送信する送信手段と、前記蓄積装置から、前記送信手段により送信要求した前記ディジタルテレビ放送データを受信する第２受信手段と、を備え、前記記憶手段は、前記データ特定手段により特定した前記ディジタルテレビ放送データを前記第２受信手段により受信した前記ディジタルテレビ放送データに置き換えて記憶するものである。
【０００７】
この構成によれば、テレビ放送局からディジタルテレビ放送を充分な受信電界強度で受信することができなくても、蓄積装置から受信したディジタルテレビ放送データで補間することにより、データ抜けの無いディジタルテレビ放送を録画することができる。
【０００８】
また、本発明の携帯端末装置は、前記データ特定手段が、前記記録手段に記録した前記電界強度が前記閾値以上の時点で前記第１受信手段が受信した前記ディジタルテレビ放送データのパケット情報に基づいて、前記ディジタルテレビ放送データを特定するものを含む。
この構成によれば、テレビ放送局から受信することができなかったディジタルテレビ放送データを容易に特定することができる。
【０００９】
本発明のテレビ放送システムは、本発明の携帯端末装置と、ディジタルテレビ放送データを配信するテレビ放送局と、前記テレビ放送局から受信した前記ディジタルテレビ放送データを蓄積する蓄積装置と、を含んで構成されるテレビ放送システムであって、前記蓄積装置は、前記携帯端末装置により送信された前記ディジタルテレビ放送データの送信要求を受信する受信手段と、送信要求された前記ディジタルテレビ放送データを前記携帯端末装置に送信する送信手段と、を備えるものである。
【００１０】
この構成によれば、テレビ放送局からディジタルテレビ放送を充分な受信電界強度で受信することができなくても、蓄積装置から受信したディジタルテレビ放送データで補間することにより、データ抜けの無いディジタルテレビ放送を録画することができる。
【発明の効果】
【００１１】
本発明の携帯端末装置及びテレビ放送システムによれば、録画中にディジタルテレビ放送を充分な受信電界強度で受信することができなくても、データ抜けの無いディジタルテレビ放送を録画することができる。
【発明を実施するための最良の形態】
【００１２】
以下、本発明の実施の形態の携帯端末装置及びテレビ放送システムについて説明する。図１に、本発明の実施の形態のテレビ放送システムの構成図を示す。テレビ放送システム１は、本発明の携帯端末装置である携帯電話機２と、ディジタルテレビ放送を格納したパケットデータストリームを変調して携帯電話機２に配信するテレビ放送局３と、テレビ放送局３が配信するディジタルテレビ放送を受信してテレビ放送蓄積メモリ４に蓄積するテレビ放送受信装置５と、テレビ放送受信装置５にネットワーク６を介して接続される携帯電話基地局７とを含んで構成される。携帯電話機２は、テレビ放送局３からディジタルテレビ放送を受信しながら録画しているときにディジタルテレビ放送の電波の受信感度が悪くなり、ディジタルテレビ放送を受信できなかった部分がある場合、携帯電話基地局7と無線通信を行い、ネットワーク６を介してテレビ放送受信装置５から受信できなかった部分のディジタルテレビ放送データを受信して録画を補間する。
【００１３】
図２に、本発明の実施の形態のパケットデータストリームのデータ構造を示す概念図を示す。パケットデータストリームは、ビデオパケット１１、１２、１３、…と、オーディオパケット２１、２２、２３、…などがあり、各パケットには、放送番組固有の番組ＩＤを記憶する番組情報ａ及びメディア情報ｂからなるパケット識別情報ＰＩＤ（Packet Identification）と、再生するデータｄの出力時刻を示すタイムスタンプｃと、などを含んで構成される。
【００１４】
ビデオパケット１１は、映像メディアのパケットであることを例えば「Ｖ」などとしてパケット識別情報ＰＩＤのメディア情報１１ｂに示すことで、また、オーディオパケット２１は、音声メディアのパケットであることを例えば「Ａ」などとしてパケット識別情報ＰＩＤのメディア情報２１ｂに示すことで、それぞれ識別される。
【００１５】
タイムスタンプｃは、音声データ及び映像データを出力する際の時間的同期を図るための時間管理情報であり、ビデオパケット１１のタイムスタンプ１１ｃは、圧縮された映像データ１１ｄを再生して映像信号として出力する時刻を示し、オーディオパケット２１のタイムスタンプ２１ｃは、圧縮された音声データ２１ｄを再生して音声信号として出力する時刻を示す。具体的には、携帯端末装置２の録画再生部（図示せず）の同期信号であるＳＴＣ（System Time Clock）に合わせて、同じタイムスタンプｃを有するビデオパケット１１の映像データ１１ｄ及びオーディオパケット２１の音声データ２１ｄとを復号し、映像信号及び音声信号を出力する。タイムスタンプｃは、例えば、９０ｋＨｚのクロックで計測した値を３３ビット長で表わす程度の精度を有するので、極めて正確に映像及び音声を同期させることができる。
【００１６】
図２では、同じタイムスタンプｃを有する１つのビデオパケット１１と１つのオーディオパケット２１が対になって同期しているが、出力する映像データ及び音声データの量によっては、複数のビデオパケット１１及び複数のオーディオパケット２１が同じタイムスタンプｃによって同期を図ることもある。また、タイムスタンプｃは、映像データ１１ｄ及び音声データ２１ｄの中に含まれることもある。
【００１７】
図３に、本発明の実施の形態の携帯電話機の機能ブロック図を示す。図３において、携帯電話機２は、テレビ放送局３からディジタルテレビ放送信号を受信するテレビ部３１と、アンテナ３５を介して携帯電話基地局７と無線通信を行う無線通信部３２と、記憶部３３とをＣＰＵ３４に接続して構成されている。
【００１８】
テレビ部３１は、受信したディジタルテレビ放送データを復調し、誤り検出及び訂正を行った後、図２に示すようなパケットデータストリームを出力するテレビ受信機３６と、テレビ受信機３６からパケットデータストリームを受信し、パケット識別情報ＰＩＤからパケットデータを選別して、タイムスタンプｃ、映像データｄ、及び音声データｄなどに分離するストリームデコーダ３７とを含む。
【００１９】
無線通信部３２は、テレビ放送受信装置５に対してテレビ放送局３から受信できなかったパケットデータを送信するよう送信要求する無線送信機３８と、無線送信機３８の送信要求に対してテレビ放送受信装置５から送信されたパケットデータを受信する無線受信機３９と、無線受信機３９で受信したパケットデータをタイムスタンプｃ、映像データｄ、及び音声データｄなどに分離するストリームデコーダ４０とを備える。
【００２０】
記憶部３３は、携帯電話機２の各構成要素を制御する制御プログラム４１などを格納するＲＯＭ４２と、テレビ受信機３２が検出したディジタルテレビ放送の搬送波の受信電界強度を記憶する電界強度蓄積メモリ４３、録画する番組ＩＤが登録される録画番組情報４４、ストリームデコーダ３７によって分離されたタイムスタンプを記憶するタイムスタンプ蓄積メモリ４５、ストリームデコーダ３７又はストリームデコーダ４０によって分離された映像データを記憶する映像データ蓄積メモリ４６、音声データを記憶する音声データ蓄積メモリ４７、及び必要に応じて読み込まれたプログラム並びにデータなどを一時的に記憶するＲＡＭ４８とを備える。タイムスタンプ蓄積メモリ４５、映像データ蓄積メモリ４６、及び音声データ蓄積メモリ４７は、録画番組情報４４に登録された番組ＩＤごとに設けられる。なお、電界強度蓄積メモリ４３は、エラーレート（ＢＥＲ、ＳＥＲ、ＦＥＲ、ＰＥＲ等）、受信電力対干渉比（ＣＩＲ、ＳＩＲ、Ｅｃ/Ｉｏｒ等）、スループット等、通信品質を示す値を記憶するようにしてもよい。
【００２１】
ＣＰＵ３４は、ＲＯＭ４２に格納された制御プログラム４１を必要に応じてＲＡＭ４８上に書み込み、受信したディジタルテレビ放送を映像データ蓄積メモリ４６及び音声データ蓄積メモリ４７に書き込む処理と、映像データ蓄積メモリ４６及び音声データ蓄積メモリ４７に格納された映像データ及び音声データを補間する処理と、映像データ蓄積メモリ４６及び音声データ蓄積メモリ４７に格納された映像データ及び音声データを読み出す処理など、を実行する。
【００２２】
図４に、本発明の実施の形態の電界強度蓄積メモリの構成例を示す。電界強度蓄積メモリ４３は、受信時間５１ごとにテレビ受信機３６が検出したディジタルテレビ放送の搬送波の受信電界強度を記憶したものである。図４に示すように、例えば、ある時間Ｒ００３〜Ｒ００４の間、受信電界強度が極めて低く、ディジタルテレビ放送を全く受信できなかった場合は、「―」または「０％」などと記憶する。尚、受信電界強度が閾値を越えたときは「１」、閾値以下の場合、又は受信不能であった場合は「０」などと記憶してもよい。
【００２３】
図５に、本発明の実施の形態のタイムスタンプ蓄積メモリの構成例を示す。タイムスタンプ蓄積メモリ４５は、録画番組情報４４に登録された番組ＩＤごとに、パケットを受信する度に、受信したパケットのタイムスタンプｃをタイムスタンプ６１に、パケットを受信した時刻をパケット受信時刻６２に記憶したものである。具体的には、図２のパケットデータストリームを受信したとき、パケットの番組情報ａが、録画番組情報４４に登録されていれば、そのタイムスタンプｃをタイムスタンプ６１に記憶し、パケットの受信時刻をパケット受信時刻６２に記憶する。図５に示すように、同じタイムスタンプｃを有するパケットが、ビデオパケット１１とオーディオパケット２１の２つ以上存在する場合がある。
【００２４】
図６に、本発明の実施の形態における電界強度とタイムスタンプの関係を示す。図６は、図４の電界強度蓄積メモリに記憶された、受信時間５１を横軸に、電界強度５２を縦軸にしてその関係を示し、横軸に図５のパケット受信時刻６２とそのパケットのタイムスタンプ６１を示したものである。図６において、例えば、電界強度５２の閾値を５０％とすると、電界強度５２が閾値以下となる受信時間５１「Ｒ００２〜Ｒ００５」の間に受信したパケット受信時刻６２が「ｔ００４〜ｔ００７」のパケットは、十分な受信電界強度が得られないため、正常な録画が行われていないと考えられる。特に、受信時間５１「Ｒ００３〜Ｒ００４」は、パケットを全く受信できなかったため、映像データ及び音声データが欠損している。
【００２５】
電界強度５２が閾値以下の受信時間５１を映像データ及び音声データを補間する補間受信時間６５とし、補間受信時間６５に受信した又は受信する予定であったパケットをタイムスタンプ６１によって特定して、特定したパケットをテレビ放送受信装置５のテレビ放送蓄積メモリ４から受信し、映像データ蓄積メモリ４６及び音声データ蓄積メモリ４７に格納された映像データ及び音声データを補間する。
【００２６】
しかし、図６に示すように、同じタイムスタンプによって同期を図るパケットは２つ以上存在することがあるので、補間受信時間６５の直前に受信したパケットの有するタイムスタンプ６１と同じタイムスタンプ、または、補間受信時間６５の直後に受信したパケットの有するタイムスタンプ６１と同じタイムスタンプを有するパケットの受信が全て完了しているとは限らない。よって、補間受信時間６５の直前に受信したパケットのタイムスタンプ６１及び直後に受信したパケットのタイムスタンプ６１を含めて補間タイムスタンプ６６とし、テレビ放送受信装置５のテレビ放送蓄積メモリ４から補間タイムスタンプ６６を有するパケットを受信して映像データ蓄積メモリ４６及び音声データ蓄積メモリ４７に格納された映像データ及び音声データを補間する。
【００２７】
図７に、本発明の実施の形態の映像データ蓄積メモリの構成例を示す。映像データ蓄積メモリ４６は、録画番組情報４４に登録された番組ＩＤごとに、ストリームデコーダ３７によって分離されたビデオパケット１１のタイムスタンプ１１ｃ、１２ｃ、１３ｃ、…をタイムスタンプ７１に記憶し、その映像データ１１ｄ、１２ｄ、１３ｄ、…を映像データ７２に格納したものである。補間タイムスタンプ６６「ＴＳ００２〜ＴＳ００８」に対応する映像データ１２ｄ〜１８ｄを含むビデオパケットをテレビ放送受信装置５のテレビ放送蓄積メモリ４から受信して映像データ７２の補間処理を行う。図７では、１つのタイムスタンプ７１に１つの映像データ７２を設定したが、複数のビデオパケット１１、１２、１３…が同じタイムスタンプ１１ｃを有するときは、１つのタイムスタンプ７１に複数のビデオパケット１１、１２、１３…それぞれの映像データ７２を設定することもできる。
【００２８】
図８に、本発明の実施の形態の音声データ蓄積メモリの構成例を示す。音声データ蓄積メモリ４７は、録画番組情報４４に登録された番組ＩＤごとに、ストリームデコーダ３７によって分離されたオーディオパケット２１のタイムスタンプ２１ｃ、２２ｃ、２３ｃ、…をタイムスタンプ８１に記憶し、その音声データ２１ｄ、２２ｄ、２３ｄ、…を音声データ８２に格納したものである。補間タイムスタンプ６６「ＴＳ００２〜ＴＳ００８」に対応するオーディオパケット２２〜２８をテレビ放送受信装置５のテレビ放送蓄積メモリ４から受信して音声データ８２の補間処理を行う。図８では、１つのタイムスタンプ８１に１つオーディオパケット２１を設定したが、複数のオーディオパケット２１、２２、２３…が同じタイムスタンプ２１ｃを有するときは、１つのタイムスタンプ８１に複数のオーディオパケット２１、２２、２３…それぞれの音声データ８２を設定することもできる。
【００２９】
図９に、本発明の実施の形態の録画処理の手順を示すフロー図を示す。録画処理は、携帯電話機２の各構成要素が制御プログラム４１によって制御されて実行される。図９に示すように、携帯電話機２の入力部（図示せず）から録画が指定されて番組の録画が始まると、録画番組情報４４に放送番組の番組ＩＤを登録し（Ｓ１０１）、録画している番組が終了するか又は録画が終了するまで（Ｓ１０２；ＮＯ）、次の処理を繰り返す。
【００３０】
テレビ受信機３６は、アンテナ３５から受信したディジタルテレビ放送の受信信号を復調し、誤り検出及び訂正を行い、図４に示す受信時間５１ごとに受信電界強度を検出して電界強度蓄積メモリ４３に記憶し（Ｓ１０３）、ストリームデコーダ３７に図２に示すパケットデータストリームを出力する。
【００３１】
ストリームデコーダ３７は、パケット識別情報ＰＩＤの番組情報ａが録画番組情報４４に登録されている番組ＩＤと同じパケットを受信したとき（Ｓ１０４；ＹＥＳ）、パケットデータストリームをタイムスタンプ、映像データ、及び音声データに分離し（Ｓ１０５）、図５に示すタイムスタンプ蓄積メモリ４５に分離したタイムスタンプ６１を記憶し、パケットの受信時刻をパケット受信時刻６２に記憶し（Ｓ１０６）、パケット識別情報ＰＩＤのメディア情報ｂによってビデオパケット１１とオーディオパケット２１を区別して、図７に示す映像データ蓄積メモリ４６にビデオパケット１１のタイムスタンプ７１とビデオパケット１１の映像データ７２を記憶し（Ｓ１０７）、図８に示す音声データ蓄積メモリ４７にオーディオパケット２１のタイムスタンプ８１とオーディオパケット２１の音声データ８２を記憶する（Ｓ１０８）。
【００３２】
Ｓ１０２〜Ｓ１０８の処理を番組が終了するか又は録画が終了するまで繰り返し（Ｓ１０２；ＮＯ）、番組が終了するか又は録画が終了すると（Ｓ１０２；ＹＥＳ）、録画した映像データ及び音声データの補間処理を行う（Ｓ１０９）。
【００３３】
図１０に、本発明の実施の形態の録画データの補間処理のフロー図を示す。図４に示す電界強度蓄積メモリ４３の受信時間５１の録画開始時刻から順に録画終了時刻まで（Ｓ２０１；ＮＯ）、受信時間５１の電界強度５２の数値を判定する。すなわち、電界強度５２が閾値を越えていれば（Ｓ２０２；ＹＥＳ）、録画データを補間する必要が無いので、次の受信時間５１の電界強度５２について（Ｓ２０３）、Ｓ２０１に戻って録画終了時刻まで同じ処理を繰り返す。
【００３４】
Ｓ２０２において、電界強度５２が閾値を越えていなければ（Ｓ２０２；ＮＯ）、録画が正常に行われず、録画した映像データ及び音声データに欠損があると考えられるので、図６に示すように、電界強度５２が閾値以下の受信時間５１を映像データ及び音声データを補間する補間受信時間６５とする（Ｓ２０４）。
【００３５】
次に、補間受信時間６５の直前に受信したパケットのタイムスタンプ６１「ＴＳ００２」と、補間受信時間６５の直後に受信したパケットのタイムスタンプ６１「ＴＳ００８」から、補間タイムスタンプ６６「ＴＳ００２〜ＴＳ００８」を求める（Ｓ２０５）。
【００３６】
次に、ネットワーク６を介してテレビ放送受信装置５に対して録画番組情報４４に登録されている番組ＩＤと補間タイムスタンプ６６「ＴＳ００２〜ＴＳ００８」とを有するパケットデータの送信要求を送信する（Ｓ２０６）。
【００３７】
テレビ放送受信装置５は、携帯電話送信機３８から補間タイムスタンプ６６「ＴＳ００２〜ＴＳ００９」を有するパケットの送信要求を受信し（Ｓ３０１）、放送蓄積メモリ４に蓄積された録画番組情報４４に登録されている番組ＩＤと同じ番組ＩＤを検索して補間タイムスタンプ６６「ＴＳ００２〜ＴＳ００８」を有するビデオパケット１１及びオーディオパケット２１を探し（Ｓ３０２）、補間タイムスタンプ６６「ＴＳ００２〜ＴＳ００９」と同じタイムスタンプを有するビデオパケット１１及びオーディオパケット２１を送信する（Ｓ３０３）。
【００３８】
携帯電話受信機３９は、テレビ放送受信装置５からネットワーク６及び携帯電話基地局７を介して送られたビデオパケット１１及びオーディオパケット２１を受信して復調し（Ｓ２０７）、テレビ用のストリームレコーダ４０に送信する。ストリームデコーダ４０は、受信したパケットデータストリームを音声データ１１ｄ及び映像データ２１ｄに分離し（Ｓ２０８）、パケット識別情報ＰＩＤのメディア情報ｂによってビデオパケット１１とオーディオパケット２１を区別する。
【００３９】
ビデオパケット１１のタイムスタンプ１１ｃが、図７に示す映像データ蓄積メモリ４６のタイムスタンプ７１に記憶されていれば、受信したビデオパケット１１の映像データ１１ｄをタイムスタンプ７１の映像データ７２に再記憶し、タイムスタンプ７１にビデオパケット１１のタイムスタンプ１１ｃと同じものが無ければ、映像データ蓄積メモリ４６に新しくタイムスタンプ７１と映像データ７２の登録欄を追加して、受信したタイムスタンプ１１ｃと映像データ１１ｄを記憶して、映像データ蓄積メモリ４６の映像データ７２を補間する（Ｓ２０９）。
【００４０】
オーディオパケット２１のタイムスタンプ２１ｃが、図８に示す音声データ蓄積メモリ４７のタイムスタンプ８１に記憶されていれば、受信したオーディオパケット２１の音声データ２１ｄをタイムスタンプ８１の音声データ８２に再記憶し、タイムスタンプ８１にオーディオパケット２１のタイムスタンプ２１ｃと同じものが無ければ、音声データ蓄積メモリ４７に新しくタイムスタンプ８１と音声データ８２の登録欄を追加して、受信したタイムスタンプ２１ｃと音声データ２１ｄを記憶して、音声データ蓄積メモリ４７の音声データ８２を補間し（Ｓ２１０）、Ｓ２０３で補間処理を行った次の受信時間５１について（Ｓ２０３）、Ｓ２０１からＳ２１０までの同じ処理を繰り返し、受信時間５１が録画終了時刻まで電界強度を判定すると（Ｓ２０１；ＹＥＳ）、録画補間処理を終了する。
【００４１】
尚、録画した映像データ及び音声データの補間処理を実行するタイミングは、番組終了時又は録画終了時に限定されない。録画処理中、録画再生処理開始直前、又は録画再生処理中に録画データの補間処理を実行してもよい。
【００４２】
本発明の実施の形態によれば、ディジタルテレビ放送の受信電界強度に関わらずディジタルテレビ放送をデータが欠損することの無しに録画することができる。特に、テレビ放送局３から遠距離にあるためテレビ放送の受信に困難がある地域においても、ディジタルテレビ放送を受信することができる。
【産業上の利用可能性】
【００４３】
本発明の携帯端末装置及びテレビ放送システムによれば、録画中にディジタルテレビ放送を充分な受信電界強度で受信することができなくても、データ抜けの無いディジタルテレビ放送を録画することができるという効果を有し、ディジタルテレビ放送を録画できる携帯端末装置及びディジタルテレビ放送システムに関して有用である。
【図面の簡単な説明】
【００４４】
【図１】本発明の実施の形態におけるテレビ放送システムの構成図
【図２】本発明の実施の形態におけるパケットデータストリームのデータ構造を示す概念図
【図３】本発明の実施の形態における携帯電話機の機能ブロック図
【図４】本発明の実施の形態における電界強度蓄積メモリの構成例
【図５】本発明の実施の形態におけるタイムスタンプ蓄積メモリの構成例
【図６】本発明の実施の形態における電界強度とタイムスタンプの関係
【図７】本発明の実施の形態における映像データ蓄積メモリの構成例
【図８】本発明の実施の形態における音声ータ蓄積メモリの構成例
【図９】本発明の実施の形態における録画処理の手順を示すフロー図
【図１０】本発明の実施の形態における録画データの補間処理のフロー図
【符号の説明】
【００４５】
１  携帯受信システム
２  携帯電話機
３  テレビ放送局
４  テレビ放送蓄積メモリ
５  テレビ放送受信装置
６  ネットワーク
７  携帯電話基地局
１１、１２、１３、…  ビデオパケット
２１、２２、２３、…  オーディオパケット
１１ｄ、１２ｄ、１３ｄ、…  映像データ
２１ｄ、２２ｄ、２３ｄ、…  音声データ
３１  テレビ部
３２  無線通信部
３３  記憶部
３４  ＣＰＵ
３５  アンテナ
３６  テレビ受信機
３７、４０  ストリームデコーダ
３８  携帯電話送信機
３９  携帯電話受信機
４１  制御プログラム
４２  ＲＯＭ
４３  電界強度蓄積メモリ
４４  録画番組情報
４５  タイムスタンプ蓄積メモリ
４６  映像データ蓄積メモリ
４７  音声データ蓄積メモリ
４８  ＲＡＭ
５１  受信時間
５２  電界強度
６１、７１、８２  タイムスタンプ
６２  パケット受信時刻
６５  補間受信時間
６６  補間タイムスタンプ
７２  映像データ
８２  音声データ
【図１】
2006041578.tif 000003
【図２】
2006041578.tif 000004
【図３】
2006041578.tif 000005
【図４】
2006041578.tif 000006
【図５】
2006041578.tif 000007
【図６】
2006041578.tif 000008
【図７】
2006041578.tif 000009
【図８】
2006041578.tif 000010
【図９】
2006041578.tif 000011
【図１０】
2006041578.tif 000012